(57)【特許請求の範囲】
【請求項１】
カード挿入口に連通されたカード挿入路と、このカード挿入路に挿入されたカードに追従して移動する移動部材と、この移動部材をカード挿入口方向に付勢するカード返却用付勢手段と、このカード返却用付勢手段の付勢力に抗して前記移動部材が所定位置まで移動することによりこの移動部材を係止し移動部材のカード挿入口方向への復帰を規制する係止部材と、この係止部材の前記移動部材への係止に連動し前記カード挿入口を閉じるようにシャッタを作動させ、かつ手動により操作することにより前記係止部材による係止を解除するとともに前記カード挿入口を開放するようにシャッタを作動させる操作レバーとを備えたことを特徴とするカード処理装置。
【請求項２】
請求項１記載のカード処理装置において、前記操作レバーに、前記移動部材が所定位置まで移動することによりカードの前端に係合し操作レバーを操作することによりカードをカード挿入口方向に押圧する押圧部を設けたことを特徴とするカード処理装置。
【請求項３】
請求項１または２記載のカード処理装置において、前記係止部材による係止を解除する駆動手段を備えたことを特徴とするカード処理装置。
【発明の詳細な説明】
【技術分野】
【０００１】
本発明は、カード挿入路内に挿入されたカードに追従して移動する移動部材の復帰を一旦係止し、カードの処理を行った後に係止を解除して移動部材をカード挿入口方向に復帰させ、カードをカード挿入口から返却するカード処理装置に関するものである。
【背景技術】
【０００２】
この種のカード処理装置においては、既に挿入されたカードに記録されている情報を処理しているときに、次のカードがカード挿入路内に挿入されないようにするために、カードがカード挿入路内に挿入された後にカード挿入口を閉じ、情報処理後のカードを返却するときに、カード挿入口を開放するシャッタが備えられている。また、情報処理した後にカード挿入路内でカード詰まり等が発生しカードが返却できなくなった場合、強制的にカードをカード挿入口から排出するための手動によって操作する操作ボタンが備えられている。
【０００３】
従来、カード挿入路内に挿入されたカードに追従して移動するスライダーと、移動したスライダーの復帰を係止する係止部材と、カード挿入口を開閉するシャッタと、カード挿入路内に詰まったカードを強制的に排除するための操作ボタンとを備え、操作ボタンを操作することにより係止部材による係止を解除するとともに、シャッタを作動させてカード挿入口を開放するものがある（例えば、特許文献１参照）。
【特許文献１】特開２０００−２４５４１１号公報（段落「００１２」〜「００１５」、図３）
【発明の開示】
【発明が解決しようとする課題】
【０００４】
上述した従来のカード処理装置においては、スライダーに一端部が枢着されたレバーを備え、操作ボタンを操作して係止手段による係止を解除することによりスライダーがカード挿入口方向に復帰するときに、スライダーと一体的に移動するレバーの他端部によって、シャッタを作動させカード挿入口を開放するようにしている。このため、操作ボタンとは別にシャッタを作動するためのレバーが必要になり、部品点数が増えるばかりではなく、これをスライダーに取り付けるための工数も必要となるため製造コストが嵩むという問題があった。
【０００５】
本発明は上記した従来の問題に鑑みなされたものであり、その目的とするところは、部品点数を削減し製造コストを低減したカード処理装置を提供するところにある。
【課題を解決するための手段】
【０００６】
この目的を達成するために、請求項１に係る発明は、カード挿入口に連通されたカード挿入路と、このカード挿入路に挿入されたカードに追従して移動する移動部材と、この移動部材をカード挿入口方向に付勢するカード返却用付勢手段と、このカード返却用付勢手段の付勢力に抗して前記移動部材が所定位置まで移動することによりこの移動部材を係止し移動部材のカード挿入口方向への復帰を規制する係止部材と、この係止部材の前記移動部材への係止に連動し前記カード挿入口を閉じるようにシャッタを作動させ、かつ手動により操作することにより前記係止部材による係止を解除するとともに前記カード挿入口を開放するようにシャッタを作動させる操作レバーとを備えたものである。
【０００７】
請求項２に係る発明は、請求項１に係る発明において、前記操作レバーに、前記移動部材が所定位置まで移動することによりカードの前端に係合し操作レバーを操作することによりカードをカード挿入口方向に押圧する押圧部を設けたものである。
【０００８】
請求項３に係る発明は、請求項１または２に係る発明において、前記係止部材による係止を解除する駆動手段を備えたものである。
【発明の効果】
【０００９】
本発明によれば、操作レバーが係止部材による係止を解除する機能と、シャッタを作動させる機能とを併せもつため、従来のように２部品とした構成と比較して部品点数を削減することができる。また、削減した部品の取付工数を省略することができるから製造コストの低減を図ることができる。
【００１０】
請求項２に係る発明によれば、操作レバーの押圧部によってカードの前端がカード挿入口方向に押圧されるため、カードを強制的にカード挿入口から排出することができるから、カード詰まり等の障害を排除することができる。
【発明を実施するための最良の形態】
【００１１】
以下、本発明の実施の形態を図に基づいて説明する。図１は本発明に係るカード処理装置のカバーを外した状態を示す平面図、図２（Ａ）は図１におけるII（Ａ）-II（Ａ） 線断面図、同図（Ｂ）は図１におけるII（Ｂ）-II（Ｂ） 線断面図、図３は同じくカードを所定の位置に挿入した状態を示す平面図、図４（Ａ）は図３におけるIV（Ａ）-IV（Ａ） 線断面図、同図（Ｂ）は図３におけるIV（Ｂ）-IV（Ｂ） 線断面図、同図（Ｃ）は図３におけるIV（Ｃ）-IV（Ｃ） 線断面図、図５は同じくカードを強制的にカード挿入口から排出する状態を示す平面図、図６（Ａ）は図５におけるVI（Ａ）-VI（Ａ） 線断面図、同図（Ｂ）は図５におけるVI（Ｂ）-VI（Ｂ）線断面図、同図（Ｃ）は図５におけるVI（Ｃ）-VI（Ｃ）線断面図、図７は図１におけるVII-VII 線断面図である。なお、明細書中において方向を説明するために使用した「上、下」は、説明の便宜上図中における方向を説明したものであって、本発明に係るカード処理装置を実際に使用する際の上、下の方向とは必ずしも一致するものではない。
【００１２】
図１に全体を符号１で示すカード処理装置は、プラスチックによって形成されたハウジング２を備えており、このハウジング２は、平面視コ字状に形成された枠板３と、この枠板３の外周端から一体に立設された囲い板４と、枠板３の内周端から一体に立設された通路形成部５とからなる。通路形成部５は、図７に示すように互いに対向する側板６，７と後板８と天井板９とによって矢印Ｂ方向および矢印Ｃ方向が開口した断面コ字状に形成されている。
【００１３】
図２において、１０は通路形成部５の矢印Ｃ方向の開口を覆う底板であって、この底板１０と両側板６，７および後板８ならびに天井板９とによって、矢印Ａ−Ｂ方向に延在するカード挿入路１１と、このカード挿入路１１に連通するカード挿入口１２とが形成されている。１３は偏平な長方形に形成された移動部材であって、通路形成部５の天井板９に設けられた４個のガイド片１４によって天井板９に沿うように矢印Ａ−Ｂ方向に移動自在に支持されている。この移動部材１３は、天井板９との間に懸架されたカード返却用付勢手段としての第１の引張りコイルばね１５の張力によって、矢印Ｂ方向、すなわちカード返却方向に付勢されている。
【００１４】
また、この移動部材１３には、矢印Ａ−Ｂ方向に延在する凸条体１３ａが移動部材１３の厚み方向である矢印Ｄ方向に突設されており、この凸条体１３ａの矢印Ｂ方向の端面には係止部１３ｂが設けられている。さらに、この移動部材１３の矢印Ａ方向の端部には、下方すなわち矢印Ｃ方向に突設された一対の係合片１３ｃ，１３ｃが設けられており、これら係合片１３ｃ，１３ｃは天井板９に設けた一対の窓１６，１６からカード挿入路１１に臨んでいる。
【００１５】
図１において、１７は通路形成部５の天井部９に突設した小軸１８に回動自在に支持された係止部材であって、腕部１９とこの腕部１９と略直交する足部２０と腕部１９と小軸１８を挟んだ反対側に突設された被駆動部２１とによって一体に形成されている。腕部１９の揺動端部には、移動部材１３の凸条体１３ａが摺接するとともに、係止部１３ｂと係合する係止突起１９ａが設けられている。足部２０の揺動端部には、後述する係入ピン３０が係入される長孔２０ａが設けられている。被駆動部２１には、後述する駆動手段としての電磁ソレノイド２２の係合ピン２３が係入される係合孔２１ａが設けられている。この係合孔２１ａは、後述するように操作レバー２５を操作し、係止部材１７を小軸１８を回動中心として時計方向に回動させたとき、電磁ソレノイド２２によって係止部材１７の動作が規制されないように係合ピン２３の径よりも大きく形成されている。
【００１６】
電磁ソレノイド２２は、枠板３の囲い壁４と後板８との間の部位に取り付けられ、無通電状態ではロッド２２ａが進退自在で、通電されることによりロッド２２ａが後退し、係合ピン２３を介して係止部材１７が小軸１８を回動中心として図１中時計方向に回動する。
【００１７】
２５は矢印Ａ−Ｂ方向に延在する操作レバーであって、枠板３の囲い壁４と側板７との間に矢印Ａ−Ｂ方向に延在するように突設されたガイド突起２６によって、矢印Ａ−Ｂ方向に移動自在に支持されている。この操作レバー２５は、通路形成部５の天井板９との間に懸架された第２の引張りコイルばね２７の張力によって矢印Ａ方向に付勢されている。この操作レバー２５の矢印Ｂ方向の端部には、図２（Ｂ）に示すように、後述するシャッタ３３の突起３３ｃが係入される傾斜部２５ａと水平部２５ｂとからなるカム溝２５Ａが設けられている。
【００１８】
また、この操作レバー２５の矢印Ａ方向の端部には、操作片２８が通路形成部５の天井板９に沿うように突設されており、この操作片２８の一端部の裏面には、図２（Ｂ）に示すように、底板１０の窓１０ａから突出する操作部２９が設けられている。この操作部２９を指で矢印Ｂ方向へ押すことにより、操作レバー２５が第２の引張りコイルばね２７の張力に抗して矢印Ｂ方向へ移動する。また、この操作片２８の中央部の表面には、上記した係止部材２０の長孔２０ａに係入する係入ピン３０が植設されている。さらに、この操作片２８の他端部の裏面には、図４（Ｂ）に示すように、通路形成部５の天井板９に設けた窓３１からカード挿入路１１に臨む押圧部３２が設けられている。この押圧部３２は、上述したように操作レバー２５を矢印Ｂ方向へ移動させたときに、カード挿入路１１の所定の位置に位置付けられた非接触型ＩＣカードＰ（以下、単にカードＰと称する）の前端に当接し、カードＰを矢印Ｂ方向へ押圧する。
【００１９】
３３は通路形成部５の天井板９に支架された軸３４に回動自在に支持されたシャッタであって、一端部に折り曲げるように形成されたシャッタ部３３ａが設けられ、他端部に軸３４に沿うように直角に延在するように延設部３３ｂが設けられ、この延設部３３ｂの端面に上記したカム溝２５Ａに係入される突起３３ｃが突設されている。このような構成において、後述するように、カードＰが所定の位置に挿入され、操作レバー２５を矢印Ａ方向に移動させることにより、突起３３ｃがカム溝２５Ａの傾斜部２５ａに係入するため、シャッタ３３は、図４（Ｃ）に示すように軸３４を回動中心として反時計方向に回動する。したがって、シャッタ３３のシャッタ部３３ａはカード挿入口１２を閉じる。一方、後述するようにカードＰを返却するとき、操作レバー２５を矢印Ｂ方向に移動させることにより、突起３３ｃがカム溝２５Ａの水平部２５ｂに係入するため、シャッタ３３は、図２（Ｂ）に示すように軸３４を回動中心として時計方向に回動する。したがって、シャッタ３３のシャッタ部３３ａはカード挿入口１２を開放する。図２において、３５はハウジング２の上方を覆うカバーである。
【００２０】
次に、このような構成のカード処理装置におけるカード処理動作について説明する。予め、図１に示すように、移動部材１３は第１の引張りコイルばね１５の張力によって矢印Ｂ方向、すなわちカード挿入口１２方向に移動している。この状態で、係止部材１７の係止突起１９ａが移動部材１３の凸条体１３ａ上に乗り上げ、係止部材１７は第２の引張りコイルばね２７の張力に抗して小軸１８を回動中心として時計方向に回動した状態になっている。
【００２１】
したがって、係止部材１７の長孔２０ａに係入している係入ピン３０を介して、操作レバー２５が第２の引張りコイルばね２７の張力に抗して矢印Ｂ方向に移動した状態になっている。操作レバー２５が矢印Ｂ方向に移動していることにより、シャッタ３３の突起３３ｃがカム溝２５Ａの水平部２５ｂに係入するため、シャッタ３３は、図２（Ｂ）に示すように軸３４を回動中心として時計方向に回動しているから、シャッタ３３のシャッタ部３３ａはカード挿入口１２を開放している。また、電磁ソレノイド２２は無通電状態になっており、ロッド２２ａは進退自在な状態になっている。
【００２２】
この状態で、カードＰをカード挿入口１２から挿入し、前端が移動部材１３の係合片１３ｃに係合するまで矢印Ａ方向へ挿入する。さらに、カードＰを矢印Ａ方向に挿入し続けると、係合片１３ｃを介して移動部材１３がカードＰの挿入に追従して、第１の引張りコイルばね１５の張力に抗して矢印Ａ方向に移動する。したがって、移動部材１３の凸条体１３ａが係止部材１７の係止突起１９ａに接触した状態で矢印Ａ方向に移動し、カードＰが所定位置まで挿入されると、凸条体１３ａと係止突起１９ａとの接触状態が解除する。
【００２３】
この状態で、係止部材１７は操作レバー２５を介して第２の引張りコイルばね２７の張力によって、小軸１８を回動中心として反時計方向に付勢されているため、係止突起１９ａが移動部材１３の係止部１３ｂに係合する。この係合によって、移動部材１３の第１の引張りコイルばね１５による矢印Ｂ方向への移動が規制されるため、カードＰは図３および図４（Ａ）に示すように所定の位置で停止された状態が保たれる。また、係止部材１７が小軸１８を回動中心として反時計方向に回動することにより、係入ピン３０を介して操作レバー２５が第２の引張りコイルばね２７の張力によって矢印Ａ方向に移動するため、シャッタ３３の突起３３ｃがカム溝２５Ａの傾斜部２５ａに係入する。
【００２４】
したがって、シャッタ３３は、図４（Ｃ）に示すように軸３４を回動中心として反時計方向に回動するため、シャッタ３３のシャッタ部３３ａはカード挿入口１２を閉じる。このため、最初のカードＰのカード挿入路１１の所定の位置への挿入後は、次のカードＰのカード挿入口１２からのカード挿入路１１への挿入が阻止される。カードＰがカード挿入路１１の所定の位置で停止すると、カードＰのアンテナ部と、カード処理装置のアンテナ基板（いずれも図示せず）との間で無線を介して通信が行われ、カードＰに記録されている情報が処理される。
【００２５】
情報処理が終了すると、電磁ソレノイド２２に通電がなされ、ロッド２２ａが後退するので、係合ピン２３を介して係止部材１７が小軸１８を回動中心として図３中時計方向に回動する。したがって、係止部材１７の係止突起１９ａと移動部材１３の係止部１３ｂとの係合が図５に示すように解除するため、移動部材１３は第１の引張りコイルばね１５の張力によって矢印Ｂ方向へ移動する。このため、移動部材１３の係合片１３ｃに前端が係合しているカードＰも、図６（Ａ）に示すように移動部材１３に移動に追従して矢印Ｂ方向へ移動するからカード挿入口１２から返却される。
【００２６】
ここで、電磁ソレノイド２２に通電したにもかかわらず、カードＰがカード挿入口１２から返却されなかったり、停電等何らかの原因によってカードＰがカード挿入路１１内で詰まり、カードＰがカード挿入口１２から返却できなくなった場合は、図４（Ｃ）において、操作レバー２５の操作部２９を指によって矢印Ｂ方向に押圧操作する。この押圧操作によって、操作レバー２５が第２の引張りコイルばね２７の張力に抗して矢印Ｂ方向に移動するため、長孔２０ａに係入している係入ピン３０を介して係止部材１７が小軸１８を回動中心として時計方向へ回動する。
【００２７】
この回動により、係止部材１７の係止突起１９ａと移動部材１３の係止部１３ｂとの係合が強制的に解除させられるため、移動部材１３は第１の引張りコイルばね１５の張力によって矢印Ｂ方向へ移動する。また、操作レバー２５を矢印Ｂ方向に移動させることにより、図６（Ｃ）に示すように、シャッタ３３の突起３３ｃが操作レバー２５のカム溝２５Ａの水平部２５ｂに係入するため、シャッタ部３３ａがカード挿入口１２を開放する。
【００２８】
また、操作レバー２５を矢印Ｂ方向に移動させることにより、図６（Ｂ）に示すように、操作レバー２５の押圧部３２がカードＰの前端に当接してカードＰを強制的に矢印Ｂ方向へ移動させるように押圧する。したがって、カードＰは第１の引張りコイルばね１５の張力だけではなく、手動による操作レバー２５の矢印Ｂ方向への移動によって強制的にカード挿入口１２から排出することができるため、カード詰まり等の障害を排除することができる。
【００２９】
このように、操作レバー２５が係止部材１７による係止を解除する機能と、シャッタ３３を作動させる機能とを併せもつため、従来のように２部品とした構成と比較して部品点数を削減することができる。また、削減した部品の取付工数を省略することができるから製造コストの低減を図ることができる。
【図面の簡単な説明】
【００３０】
【図１】本発明に係るカード処理装置のカバーを外した状態を示す平面図である。
【図２】同図（Ａ）は図１におけるII（Ａ）-II（Ａ） 線断面図、同図（Ｂ）は図１におけるII（Ｂ）-II（Ｂ） 線断面図である。
【図３】本発明に係るカード処理装置のカバーを外した状態の平面図で、カードを所定の位置に挿入した状態を示す。
【図４】同図（Ａ）は図３におけるIV（Ａ）-IV（Ａ） 線断面図、同図（Ｂ）は図３におけるIV（Ｂ）-IV（Ｂ） 線断面図、同図（Ｃ）は図３におけるIV（Ｃ）-IV（Ｃ） 線断面図である。
【図５】本発明に係るカード処理装置のカバーを外した状態の平面図で、カードを強制的にカード挿入口から排出する状態を示す。
【図６】同図（Ａ）は図５におけるVI（Ａ）-VI（Ａ） 線断面図、同図（Ｂ）は図５におけるVI（Ｂ）-VI（Ｂ）線断面図、同図（Ｃ）は図５におけるVI（Ｃ）-VI（Ｃ）線断面図である。
【図７】図１におけるVII-VII 線断面図である。
【符号の説明】
【００３１】
１…カード処理装置、１１…カード挿入路、１２…カード挿入口、１３…移動部材、１３ａ…凸条体、１３ｂ…係止部、１３ｃ…係合片、１５…第１の引張りコイルばね（カード返却用付勢手段）、１７…係止部材、１９ａ…係止突起、２２…電磁ソレノイド、２５…操作レバー、２５Ａ…カム溝、２７…第２の引張りコイルばね、３２…押圧部、３３…シャッタ、３３ａ…シャッタ部、３３ｃ…突起、Ｐ…非接触型ＩＣカード。
【図１】
0004692123.tif 000002
【図２】
0004692123.tif 000003
【図３】
0004692123.tif 000004
【図４】
0004692123.tif 000005
【図５】
0004692123.tif 000006
【図６】
0004692123.tif 000007
【図７】
0004692123.tif 000008